(57)【要約】【課題】ISDNからADSLへの変更の際にISDNの使用、BRIのTAの利用を可能にする。【解決手段】ADSLデータの通信を行うADSL通信装置に、IPデータINF部101と、ISDNデータINF部201と、宅内ADSLでADSLデータのインタリーブBUFFに対してIPデータの多重分離化を行うインタリーブBUFF部103と、ADSLデータの高速BUFFに対してISDNデータの多重分離化を行う高速BUFF部202と、ADSL回線に対して多重分離化されたADSLデータのADSL変復調を行うADSL終端部104と、宅内CPEでLANINF部115と、BRIINF部205と、ADSLデータのインタリーブBUFFに対してIPデータの多重分離化を行うインタリーブBUFF部113と、ADSLデータの高速BUFFに対してISDNデータの多重分離化を行う高速BUFF部203と、ADSL回線に対して多重分離化されたADSLデータのADSL変復調を行うADSL終端部112とを備える。【選択図】図１
2005039658.tif 000002
【特許請求の範囲】
【請求項１】
局内ＤＳＬＡＭと宅内ＣＰＥの間でＡＤＳＬ回線上を介してＡＤＳＬデータの通信を行うＡＤＳＬ通信装置のＩＳＤＮデータ多重システムにおいて、
前記局内ＤＳＬＡＭでＩＰ網に対するＩＰデータの入出力を行うＩＰデータインタフェース部と、
前記局内ＤＳＬＡＭでＩＳＤＮ網に対するＩＳＤＮデータの入出力を行うＩＳＤＮデータインタフェース部と、
前記ＩＰデータインタフェース部で入出力を行うＩＰデータに対してＡＤＳＬデータのサブフレームのインタリーブバッファにビット割り付けて多重化を行い、ビット割り付けたインタリーブバッファから分離化を行う局内ＤＳＬＡＭのインタリーブバッファ部と、
前記ＩＳＤＮデータインタフェース部で入出力を行うＩＳＤＮデータに対してＡＤＳＬデータのサブフレームの高速バッファにビット割り付けて多重化を行い、ビット割り付けた高速バッファから分離化を行う局内ＤＳＬＡＭの高速バッファ部と、
前記局内ＤＳＬＡＭのインタリーブバッファ部、前記局内ＤＳＬＡＭの高速バッファ部で多重化されたＡＤＳＬデータでＡＤＳＬ変調してＡＤＳＬ被変調波信号をＡＤＳＬ回線に出力し、ＡＤＳＬ回線から入力したＡＤＳＬ被変調波信号を復調したＡＤＳＬデータを前記局内ＤＳＬＡＭのインタリーブバッファ部、前記局内ＤＳＬＡＭの高速バッファ部に出力する局内ＤＳＬＡＭのＡＤＳＬ終端部と、
前記宅内ＣＰＥで端末に対するＩＰデータの入出力を行うＬＡＮインタフェース部と、
前記宅内ＣＰＥで端末に対するＩＳＤＮデータの入出力を行う基本インタフェース部と、
前記ＬＡＮインタフェース部で入出力を行うＩＰデータに対してＡＤＳＬデータのサブフレームのインタリーブバッファにビット割り付けて多重化を行い、ビット割り付けたインタリーブバッファから分離化を行う宅内ＣＰＥのインタリーブバッファ部と、
前記基本インタフェース部で入出力を行うＩＳＤＮデータに対してＡＤＳＬデータのサブフレームの高速バッファにビット割り付けて多重化を行い、ビット割り付けた高速バッファから分離化を行う宅内ＣＰＥの高速バッファ部と、
前記宅内ＣＰＥのインタリーブバッファ部、前記宅内ＣＰＥの高速バッファ部で多重化されたＡＤＳＬデータでＡＤＳＬ変調してＡＤＳＬ被変調波信号をＡＤＳＬ回線に出力し、ＡＤＳＬ回線から入力したＡＤＳＬ被変調波信号を復調したＡＤＳＬデータを前記宅内ＣＰＥのインタリーブバッファ部、前記宅内ＣＰＥの高速バッファ部に出力する宅内ＣＰＥのＡＤＳＬ終端部とを備えることを特徴とするＡＤＳＬ通信装置のＩＳＤＮデータ多重システム。
【請求項２】
複数のチャンネルの前記ＩＰデータインタフェース部、前記ＩＳＤＮデータインタフェース部と局内ＤＳＬＡＭのインタリーブバッファ部、前記局内ＤＳＬＡＭの高速バッファ部の間に多重分割処理部を設け、前記多重分割処理部は、複数のチャンネルの前記ＩＰデータインタフェース部、前記ＩＳＤＮデータインタフェース部から前記ＩＰデータインタフェース部、前記ＩＳＤＮデータインタフェース部へのデータを多重化し、前記ＩＰデータインタフェース部、前記ＩＳＤＮデータインタフェース部から複数のチャンネルの前記ＩＰデータインタフェース部、前記ＩＳＤＮデータインタフェース部へのデータをチャンネル毎に分離することを特徴とする、請求項１に記載のＡＤＳＬ通信装置のＩＳＤＮデータ多重システム。
【請求項３】
前記ＩＳＤＮデータインタフェース部にＩＤ検出器を設け、前記ＩＤ検出器は前記ＩＳＤＮデータインタフェース部に対して局内交換機と接続するコネクタの実装あり、なしの状態を検出し、局内交換機と接続するコネクタの実装しない状態が検出された場合、前記局内ＤＳＬＡＭの高速バッファ部をマスクして高速バッファへのビット割り付けをＩＰデータに振り分けることを特徴とする、ＡＤＳＬ通信装置のＩＳＤＮデータ多重システム。
【請求項４】
局内ＤＳＬＡＭと宅内ＣＰＥの間でＡＤＳＬ回線上を介してＡＤＳＬデータの通信を行うＡＤＳＬ通信装置のＩＳＤＮデータ多重システムにおいて、
前記局内ＤＳＬＡＭでＩＰ網に対するＩＰデータの入出力を行うＩＰデータインタフェース部と、
前記局内ＤＳＬＡＭでＩＳＤＮ網に対するＩＳＤＮデータの入出力を行うＩＳＤＮデータインタフェース部と、
前記ＩＰデータインタフェース部で入出力を行うＩＰデータに対してＡＤＳＬデータのサブフレームの高速バッファにビット割り付けて多重化を行い、ビット割り付けた高速バッファから分離化を行う局内ＤＳＬＡＭの高速バッファ部と、
前記ＩＳＤＮデータインタフェース部で入出力を行うＩＳＤＮデータに対してＡＤＳＬデータのサブフレームのインタリーブバッファにビット割り付けて多重化を行い、ビット割り付けたインタリーブバッファから分離化を行う局内ＤＳＬＡＭのインタリーブバッファ部と、
前記局内ＤＳＬＡＭのインタリーブバッファ部、前記局内ＤＳＬＡＭの高速バッファ部で多重化されたＡＤＳＬデータでＡＤＳＬ変調してＡＤＳＬ被変調波信号をＡＤＳＬ回線に出力し、ＡＤＳＬ回線から入力したＡＤＳＬ被変調波信号を復調したＡＤＳＬデータを前記局内ＤＳＬＡＭのインタリーブバッファ部、前記局内ＤＳＬＡＭの高速バッファ部に出力する局内ＤＳＬＡＭのＡＤＳＬ終端部と、
前記宅内ＣＰＥで端末に対するＩＰデータの入出力を行うＬＡＮインタフェース部と、
前記宅内ＣＰＥで端末に対するＩＳＤＮデータの入出力を行う基本インタフェース部と、
前記ＬＡＮインタフェース部で入出力を行うＩＰデータに対してＡＤＳＬデータのサブフレームの高速バッファにビット割り付けて多重化を行い、ビット割り付けた高速バッファから分離化を行う宅内ＣＰＥの高速バッファ部と、
前記基本インタフェース部で入出力を行うＩＳＤＮデータに対してＡＤＳＬデータのサブフレームのインタリーブバッファにビット割り付けて多重化を行い、ビット割り付けたインタリーブバッファから分離化を行う宅内ＣＰＥのインタリーブバッファ部と、
前記宅内ＣＰＥの高速バッファ部、前記宅内ＣＰＥのインタリーブバッファ部で多重化されたＡＤＳＬデータでＡＤＳＬ変調してＡＤＳＬ被変調波信号をＡＤＳＬ回線に出力し、ＡＤＳＬ回線から入力したＡＤＳＬ被変調波信号を復調したＡＤＳＬデータを前記宅内ＣＰＥの高速バッファ部、前記宅内ＣＰＥのインタリーブバッファ部に出力する宅内ＣＰＥのＡＤＳＬ終端部とを備えることを特徴とするＡＤＳＬ通信装置のＩＳＤＮデータ多重システム。
【請求項５】
局内ＤＳＬＡＭと宅内ＣＰＥの間でＡＤＳＬ回線上を介してＡＤＳＬデータの通信を行うＡＤＳＬ通信装置のＩＳＤＮデータ多重方法において、
前記局内ＤＳＬＡＭでＩＰ網からＩＰデータの入力を行う工程と、
前記局内ＤＳＬＡＭでＩＳＤＮ網からＩＳＤＮデータの入力を行う工程と、
前記局内ＤＳＬＡＭでＡＤＳＬデータのサブフレームのインタリーブバッファに入力されたＩＰデータをビット割り付ける工程と、
前記局内ＤＳＬＡＭでＡＤＳＬデータのサブフレームの高速バッファに入力されたＩＳＤＮデータをビット割り付けてＡＤＳＬデータにＩＰデータとＩＳＤＮデータの多重化を行う工程と、
前記局内ＤＳＬＡＭで多重化されたＡＤＳＬデータでＡＤＳＬ変調してＡＤＳＬ被変調波信号をＡＤＳＬ回線に出力する工程と、
前記宅内ＣＰＥでＡＤＳＬ回線から入力したＡＤＳＬ被変調波信号をＡＤＳＬデータに復調する工程と、
前記宅内ＣＰＥで復調されたＡＤＳＬデータのサブフレームにビット割り付けたインタリーブバッファからＩＰデータの分離化を行う工程と、
前記宅内ＣＰＥで復調されたＡＤＳＬデータのサブフレームにビット割り付けた高速バッファからＩＳＤＮデータの分離化を行う工程と、
前記宅内ＣＰＥで端末に対し分離化されたＩＰデータの出力を行う工程と、
前記宅内ＣＰＥで端末に対し分離化されたＩＳＤＮデータの出力を行う工程と、
前記宅内ＣＰＥで端末からＩＰデータの入力を行う工程と、
前記宅内ＣＰＥで端末からＩＳＤＮデータの入力を行う工程と、
前記宅内ＣＰＥでＡＤＳＬデータのサブフレームのインタリーブバッファに入力されたＩＰデータをビット割り付ける工程と、
前記局内ＤＳＬＡＭでＡＤＳＬデータのサブフレームの高速バッファに入力されたＩＳＤＮデータに対してビット割り付けてＡＤＳＬデータにＩＰデータとＩＳＤＮデータの多重化を行う工程と、
前記宅内ＣＰＥで多重化されたＡＤＳＬデータでＡＤＳＬ変調してＡＤＳＬ被変調波信号をＡＤＳＬ回線に出力する工程と、
前記局内ＤＳＬＡＭでＡＤＳＬ回線から入力したＡＤＳＬ被変調波信号をＡＤＳＬデータに復調する工程と、
前記局内ＤＳＬＡＭで復調されたＡＤＳＬデータのサブフレームにビット割り付けたインタリーブバッファからＩＰデータの分離化を行う工程と、
前記局内ＤＳＬＡＭで復調されたＡＤＳＬデータのサブフレームにビット割り付けた高速バッファからＩＳＤＮデータの分離化を行う工程と、
前記局内ＤＳＬＡＭでＩＰ網に対し分離されたＩＰデータの出力を行う工程と、
前記局内ＤＳＬＡＭでＩＳＤＮ網に対し分離されたＩＳＤＮデータの出力を行う工程とを備えることを特徴とするＡＤＳＬ通信装置のＩＳＤＮデータ多重方法。
【発明の詳細な説明】
【技術分野】
【０００１】
本発明はＡＤＳＬ（Ａｓｙｍｍｅｔｒｉｃ  Ｄｉｇｉｔａｌ  Ｓｕｂｓｃｒｉｂｅｒ  Ｌｉｎｅ）通信装置に関する。特に、本発明は、ＡＤＳＬ回線上にＩＳＤＮデータを多重するＩＳＤＮ（Ｉｎｔｅｇｒａｔｅ  Ｓｅｒｖｉｃｅｓ  Ｄｉｇｉｔａｌ  Ｎｅｔｗｏｒｋ）データ多重システム及び方法に関する。
【背景技術】
【０００２】
ＩＳＤＮ通信とＡＤＳＬ通信ではサービスに使用する周波数帯域が部分的に重なりあっており、ＩＳＤＮ通知とＡＤＳＬ通信を同じメタルケーブルで使用することができない。
従来、ＩＳＤＮデータ通信を利用しているユーザがＡＤＳＬ通信に変更する場合、ＩＳＤＮ回線を既存音声回線に変更し、局内、宅内にて周波数帯域を分割するスプリッタを使用することにより、以下のように、ＡＤＳＬ回線に対して、変復調を介してＩＰ（Ｉｎｔｅｒｎｅｔ  Ｐｒｏｔｏｃｏｌ）データが通信され、既存音声設備を用いて音声信号が通信される。
【０００３】
図３は本発明の前提となるＡＤＳＬ通信装置の概略構成を示すブロック図である。なお、全図を通して同一の構成要素には同一の番号、符号を付して説明を行う。
本図に示すように、ＡＤＳＬ装置として、局内ＤＳＬＡＭ（Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ）１０７、宅内ＣＰＥ（Ｃｕｓｔｏｍｅｒ  Ｐｒｅｍｉｓｅｓ  Ｅｑｕｉｐｍｅｎｔ）１１６が設けられる。局内に設置されたプロバイダのサーバにより局内ＤＳＬＡＭ１０７に対してＩＰデータ１１８の入出力が行われる。
【０００４】
音声設備として、局内音声設備１０９、電話機１１７が設けられる。局内音声設備１０９では局内の音声信号１１９の入出力が行われ、信号レベル変換、電話機１１７への給電が実施される。
さらに、局内スプリッタ１１０、宅内スプリッタ１１１が設けられ、局内スプリッタ１１０、宅内スプリッタ１１１はＡＤＳＬ回線１３０で相互に接続される。
【０００５】
さらに、局内スプリッタ１１０には、局内ＤＳＬＡＭ１０７、局内音声設備１０９が接続される。
さらに、宅内スプリッタ１１１には宅内ＣＰＥ１１６、電話機１１７が接続される。
局内ＤＳＬＡＭ１０７、宅内ＣＰＥ１１６でＩＰデータ１１８が使用され、局内音声設備１０９、電話機１１７で音声信号１１９が使用される。
【０００６】
局内スプリッタ１１０、宅内スプリッタ１１１ではＩＰデータ１１８、音声信号１１９の周波数帯が分割される。
局内ＤＳＬＡＭ１０７にはＩＰデータインタフェース（ＩＮＦ）部１０１が設けられ、ＩＰデータインタフェース部１０１はＩＰ網（図示しない）に対して局内のＩＰデータ１１８の入出力を行うインタフェース機能を有する。
【０００７】
ＩＰデータインタフェース部１０１には多重分離処理部１０２が接続され、多重分離処理部１０２ではＩＰデータインタフェース部１０１からのＩＰデータ１１８がＡＤＳＬチャンネル毎に分離処理され、ＩＰデータインタフェース部１０１に対してＡＤＳＬチャンネル毎のＩＰデータ１１８が多重処理される。
多重分離処理部１０２には複数の局内ＡＤＳＬ処理部１０５が接続され、局内ＡＤＳＬ処理部１０５はシングルレイテンシー構成であり、ＡＤＳＬチャンネル毎にＩＰデータ１１８を以下のように処理する。
【０００８】
局内ＡＤＳＬ処理部１０５には多重分離処理部１０２に接続されるインタリーブバッファ（Ｉｎｔｅｒｌｅａｖｅ  ＢＵＦＦ）部１０３が設けられ、インタリーブバッファ部１０３ではエラー発生を低減するため一時メモリにＩＰデータ１１８が記憶され、データを分散的に配置するインタリーブ処理、逆のデインタリ−ブ処理が実施される。
インタリーブバッファ部１０３にはＡＤＳＬ終端部１０４が接続され、ＡＤＳＬ終端部１０４では、ＩＰデータ１１８で変調されたＡＤＳＬ被変調波信号が局内スプリッタ１１０に出力され、逆に、局内スプリッタ１１０からのＡＤＳＬ被変調波信号がＩＰデータ１１８に復調される。
【０００９】
局内ＤＳＬＡＭ１０７には局内クロック分配装置１０８が接続され、局内クロック分配装置１０８はＳＴＭ（Ｓｙｎｃｈｒｏｎｏｕｓ  Ｔｒａｎｓｆｅｒ  Ｍｏｄｕｌｅ）網にて動作する交換機と同期するためのクロックを局内クロック分配装置１０８に供給する機能を有する。
局内クロック分配装置１０８から局内ＤＳＬＡＭ１０７にクロックが出力される。
局内ＤＳＬＡＭ１０７にはクロック同期／分配装置１０６が設けられ、クロック同期／分配装置１０６では局内ＤＳＬＡＭ１０７からクロックが入力される。
【００１０】
クロック同期／分配装置１０６には局内ＡＤＳＬ処理部１０５のＡＤＳＬ終端部１０４が接続され、ＡＤＳＬ終端部１０４では、クロック同期／分配装置１０６からのクロックに同期して動作が行われる。
宅内ＣＰＥ１１６にはＬＡＮ（Ｌｏｃａｌ  Ａｒｅａ  Ｎｅｔｗｏｒｋ）インタフェース（ＩＮＦ）部１１５が設けられ、ＬＡＮインタフェース部１１５は宅内パーソナルコンピュータ等の端末と接続され、宅内のＩＰデータ１１８の入出力処理を行うインタフェース機能を有する。
【００１１】
ＬＡＮインタフェース部１１５には宅内ＡＤＳＬ処理部１１４が設けられ、宅内ＡＤＳＬ処理部１１４ではＩＰデータ１１８を以下のように処理する。
宅内ＡＤＳＬ処理部１１４にはＬＡＮインタフェース部１１５に接続されるインタリーブバッファ部１１３が設けられ、インタリーブバッファ部１１３ではエラー発生を低減するため一時メモリにＩＰデータ１１８が記憶され、データを分散的に配置するインタリーブ処理、逆のデインタリ−ブ処理が実施される。
【００１２】
インタリーブバッファ部１１３にはＡＤＳＬ終端部１１２が接続され、ＡＤＳＬ終端部１１２では、ＩＰデータ１１８で変調されたＡＤＳＬ被変調波信号が宅内スプリッタ１１１に出力され、逆に、宅内スプリッタ１１１からのＡＤＳＬ被変調波信号がＩＰデータ１１８に復調される。
本発明の前提となるＡＤＳＬ通信装置に対して、従来の音声およびデータ通信システムでは加入者宅内において、音声帯域信号は電話機に伝え、高速データ信号はＤＳＬモデムに伝えるために信号をその周波数により分離、統合する宅内スプリッタを設け、電話局からの加入者ケーブル束線を収容し、その加入者ケーブル束線の中から、いくつかの加入者に接続する加入者ケーブルを分岐する機能を具備し、電話局から加入者宅までの間に設置された接続端子函において、電話局からの加入者ケーブル束線を該当加入者への加入者ケーブルに接続している接続点にて切り離し、この切り離した点にスプリッタを具備するＤＳＬＡＭ装置を接続するようにしている（例えば、特許文献１参照。）。
【００１３】
本発明の前提となるＡＤＳＬ通信装置に対して、イーサネット（登録商標）ＬＡＮに接続され、音声信号を、プロセッサを介さずに、データリンクレベルで送受信するインタフェースをパーソナルコンピュータに内蔵するとともにこれに対応して該パーソナルコンピュータを外部通信網と音声通話接続させるためのＩＳＤＮ音声インタフェースをＬＡＮに接続する。このＩＳＤＮ音声インタフェース及び該ＬＡＮ上のデータ通信を行う各種のルータの入出力データを複数チャネルで多重・分離するＡＤＳＬ多重化装置を設ける。この多重化装置の入出力データを、ユーザインタフェースを有するアクセスネットワークを介して該外部通信網に接続するようにしている。この多重化装置では、ＩＳＤＮ用、フレームリレー用、セルリレー用としてそれぞれに周波数帯域の割当を行うようにしている（例えば、特許文献２参照。）。
【００１４】
【特許文献１】特開２００３−０１８３１９（第３、４頁、図１）
【特許文献２】特開平１１−２６１６５０号公報（第４、５、８頁、図１、図３）
【発明の開示】
【発明が解決しようとする課題】
【００１５】
しかしながら、上記発明の前提となるＡＤＳＬ装置では、ＩＳＤＮ通信からＡＤＳＬ通信に変更する際に、今まで使用していたＩＳＤＮ通信が全く使用できなくなり、さらに、ＩＳＤＮ通信で使用していた基本インタフェース（ＢＲＩ）のターミナルアダプタ（ＴＡ）等の設備が利用できなくなるという問題があった。
特に、特許文献２の多重化装置では、ＩＳＤＮの通信を使用することができるが、ＩＳＤＮ専用の周波数帯域を確保しなければならないという別の問題が生じる。
したがって、本発明は上記問題点に鑑みて、ＩＳＤＮ専用の周波数帯域を必要とせず、ＩＳＤＮ通信からＡＤＳＬ通信に変更する際に、今まで使用していたＩＳＤＮ通信が使用でき、さらに、ＩＳＤＮ通信で使用していた基本インタフェース（ＢＲＩ）のターミナルアダプタ（ＴＡ）等の設備が利用できるようになるＡＤＳＬ通信装置のＩＳＤＮデータ多重システムを提供することを目的とする。
を提供することを目的とする。
【課題を解決するための手段】
【００１６】
本発明は前記問題点を解決するために、局内ＤＳＬＡＭと宅内ＣＰＥの間でＡＤＳＬ回線上を介してＡＤＳＬデータの通信を行うＡＤＳＬ通信装置のＩＳＤＮデータ多重システムにおいて、前記局内ＤＳＬＡＭでＩＰ網に対するＩＰデータの入出力を行うＩＰデータインタフェース部と、前記局内ＤＳＬＡＭでＩＳＤＮ網に対するＩＳＤＮデータの入出力を行うＩＳＤＮデータインタフェース部と、前記ＩＰデータインタフェース部で入出力を行うＩＰデータに対してＡＤＳＬデータのサブフレームのインタリーブバッファにビット割り付けて多重化を行い、ビット割り付けたインタリーブバッファから分離化を行う局内ＤＳＬＡＭのインタリーブバッファ部と、前記ＩＳＤＮデータインタフェース部で入出力を行うＩＳＤＮデータに対してＡＤＳＬデータのサブフレームの高速バッファにビット割り付けて多重化を行い、ビット割り付けた高速バッファから分離化を行う局内ＤＳＬＡＭの高速バッファ部と、前記局内ＤＳＬＡＭのインタリーブバッファ部、前記局内ＤＳＬＡＭの高速バッファ部で多重化されたＡＤＳＬデータでＡＤＳＬ変調してＡＤＳＬ被変調波信号をＡＤＳＬ回線に出力し、ＡＤＳＬ回線から入力したＡＤＳＬ被変調波信号を復調したＡＤＳＬデータを前記局内ＤＳＬＡＭのインタリーブバッファ部、前記局内ＤＳＬＡＭの高速バッファ部に出力する局内ＤＳＬＡＭのＡＤＳＬ終端部と、前記宅内ＣＰＥで端末に対するＩＰデータの入出力を行うＬＡＮインタフェース部と、前記宅内ＣＰＥで端末に対するＩＳＤＮデータの入出力を行う基本インタフェース部と、前記ＬＡＮインタフェース部で入出力を行うＩＰデータに対してＡＤＳＬデータのサブフレームのインタリーブバッファにビット割り付けて多重化を行い、ビット割り付けたインタリーブバッファから分離化を行う宅内ＣＰＥのインタリーブバッファ部と、前記基本インタフェース部で入出力を行うＩＳＤＮデータに対してＡＤＳＬデータのサブフレームの高速バッファにビット割り付けて多重化を行い、ビット割り付けた高速バッファから分離化を行う宅内ＣＰＥの高速バッファ部と、前記宅内ＣＰＥのインタリーブバッファ部、前記宅内ＣＰＥの高速バッファ部で多重化されたＡＤＳＬデータでＡＤＳＬ変調してＡＤＳＬ被変調波信号をＡＤＳＬ回線に出力し、ＡＤＳＬ回線から入力したＡＤＳＬ被変調波信号を復調したＡＤＳＬデータを前記宅内ＣＰＥのインタリーブバッファ部、前記宅内ＣＰＥの高速バッファ部に出力する宅内ＣＰＥのＡＤＳＬ終端部とを備えることを特徴とするＡＤＳＬ通信装置のＩＳＤＮデータ多重システムを提供する。
【００１７】
さらに、複数のチャンネルの前記ＩＰデータインタフェース部、前記ＩＳＤＮデータインタフェース部と局内ＤＳＬＡＭのインタリーブバッファ部、前記局内ＤＳＬＡＭの高速バッファ部の間に多重分割処理部を設け、前記多重分割処理部は、複数のチャンネルの前記ＩＰデータインタフェース部、前記ＩＳＤＮデータインタフェース部から前記ＩＰデータインタフェース部、前記ＩＳＤＮデータインタフェース部へのデータを多重化し、前記ＩＰデータインタフェース部、前記ＩＳＤＮデータインタフェース部から複数のチャンネルの前記ＩＰデータインタフェース部、前記ＩＳＤＮデータインタフェース部へのデータをチャンネル毎に分離する。
【００１８】
さらに、前記ＩＳＤＮデータインタフェース部にＩＤ検出器を設け、前記ＩＤ検出器は前記ＩＳＤＮデータインタフェース部に対して局内交換機と接続するコネクタの実装あり、なしの状態を検出し、局内交換機と接続するコネクタの実装しない状態が検出された場合、前記局内ＤＳＬＡＭの高速バッファ部をマスクして高速バッファへのビット割り付けをＩＰデータに振り分ける。
【００１９】
さらに、本発明は、局内ＤＳＬＡＭと宅内ＣＰＥの間でＡＤＳＬ回線上を介してＡＤＳＬデータの通信を行うＡＤＳＬ通信装置のＩＳＤＮデータ多重システムにおいて、前記局内ＤＳＬＡＭでＩＰ網に対するＩＰデータの入出力を行うＩＰデータインタフェース部と、前記局内ＤＳＬＡＭでＩＳＤＮ網に対するＩＳＤＮデータの入出力を行うＩＳＤＮデータインタフェース部と、前記ＩＰデータインタフェース部で入出力を行うＩＰデータに対してＡＤＳＬデータのサブフレームの高速バッファにビット割り付けて多重化を行い、ビット割り付けた高速バッファから分離化を行う局内ＤＳＬＡＭの高速バッファ部と、前記ＩＳＤＮデータインタフェース部で入出力を行うＩＳＤＮデータに対してＡＤＳＬデータのサブフレームのインタリーブバッファにビット割り付けて多重化を行い、ビット割り付けたインタリーブバッファから分離化を行う局内ＤＳＬＡＭのインタリーブバッファ部と、前記局内ＤＳＬＡＭのインタリーブバッファ部、前記局内ＤＳＬＡＭの高速バッファ部で多重化されたＡＤＳＬデータでＡＤＳＬ変調してＡＤＳＬ被変調波信号をＡＤＳＬ回線に出力し、ＡＤＳＬ回線から入力したＡＤＳＬ被変調波信号を復調したＡＤＳＬデータを前記局内ＤＳＬＡＭのインタリーブバッファ部、前記局内ＤＳＬＡＭの高速バッファ部に出力する局内ＤＳＬＡＭのＡＤＳＬ終端部と、前記宅内ＣＰＥで端末に対するＩＰデータの入出力を行うＬＡＮインタフェース部と、前記宅内ＣＰＥで端末に対するＩＳＤＮデータの入出力を行う基本インタフェース部と、前記ＬＡＮインタフェース部で入出力を行うＩＰデータに対してＡＤＳＬデータのサブフレームの高速バッファにビット割り付けて多重化を行い、ビットた高速バッファから分離化を行う宅内ＣＰＥの高速バッファ部と、前記基本インタフェース部で入出力を行うＩＳＤＮデータに対してＡＤＳＬデータのサブフレームのインタリーブバッファにビット割り付けて多重化を行い、ビット割り付けたインタリーブバッファから分離化を行う宅内ＣＰＥのインタリーブバッファ部と、前記宅内ＣＰＥの高速バッファ部、前記宅内ＣＰＥのインタリーブバッファ部で多重化されたＡＤＳＬデータでＡＤＳＬ変調してＡＤＳＬ被変調波信号をＡＤＳＬ回線に出力し、ＡＤＳＬ回線から入力したＡＤＳＬ被変調波信号を復調したＡＤＳＬデータを前記宅内ＣＰＥの高速バッファ部、前記宅内ＣＰＥのインタリーブバッファ部に出力する宅内ＣＰＥのＡＤＳＬ終端部とを備えることを特徴とするＡＤＳＬ通信装置のＩＳＤＮデータ多重システムを提供する。
【００２０】
さらに、本発明は、局内ＤＳＬＡＭと宅内ＣＰＥの間でＡＤＳＬ回線上を介してＡＤＳＬデータの通信を行うＡＤＳＬ通信装置のＩＳＤＮデータ多重方法において、前記局内ＤＳＬＡＭでＩＰ網からＩＰデータの入力を行う工程と、前記局内ＤＳＬＡＭでＩＳＤＮ網からＩＳＤＮデータの入力を行う工程と、前記局内ＤＳＬＡＭでＡＤＳＬデータのサブフレームのインタリーブバッファに入力されたＩＰデータをビット割り付ける工程と、前記局内ＤＳＬＡＭでＡＤＳＬデータのサブフレームの高速バッファに入力されたＩＳＤＮデータをビット割り付けてＡＤＳＬデータにＩＰデータとＩＳＤＮデータの多重化を行う工程と、前記局内ＤＳＬＡＭで多重化されたＡＤＳＬデータでＡＤＳＬ変調してＡＤＳＬ被変調波信号をＡＤＳＬ回線に出力する工程と、前記宅内ＣＰＥでＡＤＳＬ回線から入力したＡＤＳＬ被変調波信号をＡＤＳＬデータに復調する工程と、前記宅内ＣＰＥで復調されたＡＤＳＬデータのサブフレームにビット割り付けたインタリーブバッファからＩＰデータの分離化を行う工程と、前記宅内ＣＰＥで復調されたＡＤＳＬデータのサブフレームにビット割り付けた高速バッファからＩＳＤＮデータの分離化を行う工程と、前記宅内ＣＰＥで端末に対し分離化されたＩＰデータの出力を行う工程と、前記宅内ＣＰＥで端末に対し分離化されたＩＳＤＮデータの出力を行う工程と、前記宅内ＣＰＥで端末からＩＰデータの入力を行う工程と、前記宅内ＣＰＥで端末からＩＳＤＮデータの入力を行う工程と、前記宅内ＣＰＥでＡＤＳＬデータのサブフレームのインタリーブバッファに入力されたＩＰデータをビット割り付ける工程と、前記局内ＤＳＬＡＭでＡＤＳＬデータのサブフレームの高速バッファに入力されたＩＳＤＮデータに対してビット割り付けてＡＤＳＬデータにＩＰデータとＩＳＤＮデータの多重化を行う工程と、前記宅内ＣＰＥで多重化されたＡＤＳＬデータでＡＤＳＬ変調してＡＤＳＬ被変調波信号をＡＤＳＬ回線に出力する工程と、前記局内ＤＳＬＡＭでＡＤＳＬ回線から入力したＡＤＳＬ被変調波信号をＡＤＳＬデータに復調する工程と、前記局内ＤＳＬＡＭで復調されたＡＤＳＬデータのサブフレームにビット割り付けたインタリーブバッファからＩＰデータの分離化を行う工程と、前記局内ＤＳＬＡＭで復調されたＡＤＳＬデータのサブフレームにビット割り付けた高速バッファからＩＳＤＮデータの分離化を行う工程と、前記局内ＤＳＬＡＭでＩＰ網に対し分離されたＩＰデータの出力を行う工程と、前記局内ＤＳＬＡＭでＩＳＤＮ網に対し分離されたＩＳＤＮデータの出力を行う工程とを備えることを特徴とするＡＤＳＬ通信装置のＩＳＤＮデータ多重方法を提供する。
【発明の効果】
【００２１】
以上説明したように、本発明によれば、ＡＤＳＬ回線のデュアルレイテンシー構成を採用し局内ＤＳＬＡＭのインタリーブバッファ部、宅内ＣＰＥのインタリーブバッファ部、局内ＤＳＬＡＭの高速バッファ、宅内ＣＰＥの高速バッファによりＡＤＳＬ回線上でＩＰデータ、ＩＳＤＮデータの多重分離化を行うようにしたので、既存ＩＳＤＮデータ通信がＡＤＳＬ回線上にて通信可能になり、さらに、宅内既存ＩＳＤＮ通信で使用されている基本インタフェース部がＡＤＳＬ通信でも利用可能になり、さらに、既存ＩＳＤＮデータを利用していたユーザでは局内・宅内においても、音声信号を分離でき、従来技術における本発明の前提となるＡＤＳＬ通信装置のように、ＡＤＳＬ回線上必要なスプリッタが不要となる。
【００２２】
さらに、ＡＤＳＬのチャンネル毎に局内ＤＳＬＡＭのインタリーブバッファ部、局内ＤＳＬＡＭの高速バッファによりＡＤＳＬ回線上でＩＰデータ、ＩＳＤＮデータの多重分離化を行うことが可能になる。
さらに、ＩＤ検出部によりＩＳＤＮの未使用状態が検出されると、多重分離処理部、ＡＤＳＬ終端部に対して、ＩＳＤＮデータを多重化する高速バッファをマスクし、ＩＳＤＮデータに振り向けているビット割付をＩＰデータに振り替える。これにより、ＡＤＳＬデータの転送無駄を回避することが可能になる。
【発明を実施するための最良の形態】
【００２３】
本発明は、ＡＤＳＬ通信において、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ）勧告９９２．１（Ｇ．ｄｍｔ）のオプションとして規定され、Ｉｎｔｅｒｌｅａｖｅｂｕｆｆｅｒ、Ｆａｓｔｂｕｆｆｅｒからなるデュアルレイテンシー構成内の遅延の無いＦａｓｔｂｕｆｆｅｒを使用し、既存ＩＳＤＮデータ信号をＡＤＳＬ通信に提供する。
【００２４】
すなわち、本発明は、ＩＳＤＮ通信にて使用する交換機インタフェースを終端する機能を有するＤＳＬＡＭ（局内ＡＤＳＬ終端装置）と局内／宅内のＡＤＳＬ回線処理において、デュアルレイテンシー構成を採用し、ＦａｓｔｂｕｆｆｅｒにてＩＳＤＮデータを処理し、ＩｎｔｅｒｌｅａｖｅｂｕｆｆｅｒにてＩＰデータを処理することにより、ＡＤＳＬ回線上に既存ＩＳＤＮ信号を多重して通信するシステムを提供する。以下に詳細に説明を行う。
【００２５】
図１は本発明に係るＡＤＳＬ通信装置のＩＳＤＮデータ多重システムの概略構成を示すブロック図である。
本図に示すように、ＡＤＳＬ通信装置のＩＳＤＮデータ多重システムは、図３と比較して、大きく分けて、ＡＤＳＬ回線１３０で接続される局内ＤＳＬＡＭ１０７、宅内ＣＰＥ１１６、局内クロック分配装置１０により構成される。
【００２６】
局内ＤＳＬＡＭ１０７にはＩＰデータインタフェース部１０１と共にＩＳＤＮインタフェース（ＩＮＦ）部２０１が設けられ、ＩＳＤＮデータインタフェース部２０１は局内交換機（図示しない）からのＩＳＤＮデータ２２０の入出力処理を行うインタフェース機能を有する。
多重分離処理部１０２にはＩＰデータインタフェース部１０１と共にＩＳＤＮデータインタフェース部２０１が接続され、多重分離処理部１０２ではＩＰデータインタフェース部１０１からのＩＰデータ１１８がＡＤＳＬチャンネル毎に分離処理され、ＩＰデータインタフェース部１０１に対してＡＤＳＬチャンネル毎のＩＰデータ１１８が多重処理され、ＩＳＤＮデータインタフェース部２０１からのＩＳＤＮデータ２２０がＡＤＳＬチャンネル毎に分離処理され、ＩＳＤＮデータインタフェース部２０１に対してＡＤＳＬチャンネル毎のＩＳＤＮデータ２２０が多重処理される。
【００２７】
多重分離処理部１０２に接続される複数の局内ＡＤＳＬ処理部１０５の各々にはインタリーブバッファ部１０３と共に遅延の無い高速バッファ（Ｆａｓｔｂｕｆｆｅｒ）２０２が設けられ、局内ＡＤＳＬ処理部１０５ではデュアルレイテンシーを構成することにより、インタリーブバッファ部１０３ではＩＰデータ１１８が処理され、高速バッファ２０２ではＩＳＤＮデータ２２０が処理される。
【００２８】
ＡＤＳＬ回線１３０に接続されるＡＤＳＬ終端部１０４にはインタリーブバッファ部１０３と共に高速バッファ２０２が接続され、ＡＤＳＬ終端部１０４ではＩＰデータ１１８とＩＳＤＮデータ２２０が多重分離処理され、多重されたＩＰデータ１１８、ＩＳＤＮデータ２２０で変調されたＡＤＳＬ被変調波信号がＡＤＳＬ回線１３０に出力され、逆にＡＤＳＬ回線１３０からの被変調波信号がＩＰデータ１１８、ＩＳＤＮデータ２２０に分離され、復調される。
【００２９】
このようにして、局内ＤＳＬＡＭ１０７ではＡＤＳＬ回線１３０上にＩＳＤＮデータ通信を多重分離化することが可能となる。
クロック同期／分配装置１０６にはＡＤＳＬ終端部１０４と共にＩＳＤＮデータインタフェース部２０１が接続され、クロック同期／分配装置１０６では、局内クロック分配装置１０８から出力されるクロックにより、局内の交換機（図示しない）で動作する４００Ｈｚクロック周期に同期してＡＤＳＬ終端部１０４、ＩＳＤＮデータインタフェース部２０１が動作する。
【００３０】
さらに、ＡＤＳＬ終端部１０４はＡＤＳＬ回線１３０を介して宅内機器であり、宅内ＡＤＳＬ終端装置である宅内ＣＰＥ１１６に接続される。
次に宅内ＣＰＥ１１６にはＬＡＮインタフェース部１１５と共にＩＳＤＮ装置の既存インタフェースである基本インタフェース（ＢＲＩＩＮＦ）部２０５が設けられる。ＬＡＮインタフェース部１１５ではパーソナルコンピュータ等の端末（図示しない）との間でＩＰデータ１１８の入出力が行われる。基本インタフェース部２０５はパーソナルコンピュータ等の端末、固定電話、ファクシミリ装置（図示しない）との間でターミナルアダプタ（ＴＡ；図示しない）を介して、ＩＳＤＮデータ２２０の入出力を行うインタフェースの機能を有する。
【００３１】
宅内ＡＤＳＬ処理部１１４にはインタリーブバッファ部１１３と共に遅延の無い高速バッファ（Ｆａｓｔｂｕｆｆｅｒ）部２０３が設けられ、宅内宅内ＡＤＳＬ処理部１１４にデュアルレイテンシー構成を採用することにより、インタリーブバッファ部１１３ではＩＰデータ１１８が処理され、高速バッファ２０３ではＩＳＤＮデータ２２０が処理される。
【００３２】
ＡＤＳＬ回線１３０に接続されるＡＤＳＬ終端部１１２にはインタリーブバッファ部１１３と共に高速バッファ２０３が接続され、ＡＤＳＬ終端部１１２ではＩＰデータ１１８とＩＳＤＮデータ２２０が多重分離処理され、多重されたＩＰデータ１１８、ＩＳＤＮデータ２２０で変調されたＡＤＳＬ被変調波信号がＡＤＳＬ回線１３０に出力され、逆にＡＤＳＬ回線１３０からの被変調波信号がＩＰデータ１１８、ＩＳＤＮデータ２２０に分離され、復調される。
【００３３】
このようにして、宅内ＣＰＥ１１６ではＡＤＳＬ回線３０上にＩＳＤＮデータ通信を多重分離化することが可能となる。
さらに、宅内ＣＰＥ１１６にはＡＤＳＬ終端部１１２と基本インタフェース部２０５の間に接続されるクロック同期回路２０４が設けられ、ＡＤＳＬ終端部１１２内で検出された局内同期４００Ｈｚ同期クロックをクロック同期回路２０４にて位相同期させ、周波数同期されたクロックを基に、端末と通信が実施される。
【００３４】
図２は図１における局内ＡＤＳＬ処理部１０５、宅内ＡＤＳＬ処理部１１４におけるＩＰデータ１１８、ＩＳＤＮデータ２２０の多重化を説明する図である。
本図に示すように、ＡＤＳＬデータのスーパーフレームのサブフレームにはインタリーブバッファ（Ｉｎｔｅｒｂｕｆｆｅｒ）、高速バッファ（Ｆａｓｔｂｕｆｆｅｒ）が設けられており、通常では、シングルレイテンシー構成であり、ＩＰデータ１１８の通信にインタリーブバッファ（Ｉｎｔｅｒｂｕｆｆｅｒ）しか使用されていないが、本発明では、高速バッファにＩＳＤＮデータ２２０が使用される。
【００３５】
すなわち、局内ＤＳＬＡＭ１０７から宅内ＣＰＥ１１６への下り信号の場合には、局内ＤＳＬＡＭ１０７のインタリーブバッファ１０３ではサブフレームのインタリーブバッファにＩＰデータ１１８のビット割付が行われ、局内ＤＳＬＡＭ１０７の高速バッファ２０２ではサブフレームの高速バッファにＩＳＤＮデータ２２０のビット割付が行われ、ＩＰデータ１１８、ＩＳＤＮデータ２２０がサブフレームに多重化されたＡＤＳＬデータが形成される。
【００３６】
逆に、宅内ＣＰＥ１１６から局内ＤＳＬＡＭ１０７への上り信号の場合にはＩＰデータ１１８、ＩＳＤＮデータ２２０がサブフレームに多重化されたＡＤＳＬデータがインタリーブバッファ１０３でＩＰデータ１１８に分離され、高速バッファ２０２でＩＳＤＮデータ２２０に分離される。
同様に、局内ＤＳＬＡＭ１０７から宅内ＣＰＥ１１６への下り信号の場合には、宅内ＣＰＥ１１６のインタリーブバッファ１１３ではサブフレームのインタリーブバッファにＩＰデータ１１８のビット割付が行われ、宅内ＣＰＥ１１６の高速バッファ２０３ではサブフレームの高速バッファにＩＳＤＮデータ２２０のビット割付が行われ、ＩＰデータ１１８、ＩＳＤＮデータ２２０がサブフレームに多重化されたＡＤＳＬデータが形成される。
【００３７】
逆に、宅内ＣＰＥ１１６から局内ＤＳＬＡＭ１０７への上り信号の場合にはＩＰデータ１１８、ＩＳＤＮデータ２２０がサブフレームに多重化されたＡＤＳＬデータがインタリーブバッファ１１３でＩＰデータ１１８に分離され、高速バッファ２０３でＩＳＤＮデータ２２０に分離される。
このため、ＩＰデータ１１８、ＩＳＤＮデータ２２０の多重化、分離化処理が容易に行われるようになる。
【００３８】
次に、ＡＤＳＬ通信装置のＩＳＤＮデータ多重システムの下り信号処理動作を説明する。
局内ＤＳＬＡＭ１０７から宅内ＣＰＥ１１６の下り信号に関し、局内に設置されたプロバイダから局内のＩＰデータ１１８が局内ＤＳＬＡＭ１０７に入力され、ＩＰデータインタフェース部１０１で入力処理が行われる。
多重分離処理部１０２では局内ＤＳＬＡＭ１０７のチャンネル毎にＩＰデータ１１８が分離処理される。
【００３９】
遅延が発生するがＡＤＳＬ回線１３０を含む伝送路上でエラーの発生を低減するために多重分離処理部１０２により出力されたＩＰデータ１１８が局内ＡＤＳＬ処理部１０５内のインタリーブバッファ部１０３にて一時メモリに記憶され、しかも分散的にＩＰデータ１１８が再配置され、ＩＰデータ１１８にインタリーブ処理が実施され、実施後にＡＤＳＬ終端部１０４にＩＰデータ１１８が出力される。
他方、局内交換機（図示しない）からＩＳＤＮデータ２２０が出力され、ＩＳＤＮデータインタフェース部２０１にＩＳＤＮデータ２２０が入力される。
【００４０】
ＩＳＤＮデータインタフェース部２０１ではＳＴＭ網にて動作する交換機のＩＳＤＮデータ２２０の位相同期処理、終端処理が実施される。
多重分離処理部１０２では局内ＤＳＬＡＭ１０７のチャンネル毎にＩＳＤＮデータ２２０が分離処理され局内ＡＤＳＬ処理部１０５内の高速バッファ２０２にＩＳＤＮデータ２２０が入力される。
【００４１】
局内ＤＳＬＡＭ１０７ではＡＤＳＬ通信の勧告上オプションであるデュアルレイテンシー構成を利用して、インタリーブバッファ部１０３を通じてＩＰデータ１１８が信号処理され、遅延の無い高速バッファ２０２を通じて、ＩＳＤＮデータ２２０が信号処理され、ＡＤＳＬ終端部１０４にてＡＤＳＬ回線１３０上のデータに多重処理され、ＡＤＳＬデータにＩＰデータ１１８、ＩＳＤＮデータ２２０が変換され、ＡＤＳＬ回線１３０にＡＤＳＬデータが出力される。
【００４２】
局内ＤＳＬＡＭ１０７の対応チャンネルのＡＤＳＬ回線１３０に物理的に電話回線として宅内ＣＰＥ１１６が接続される。
宅内ＡＤＳＬ処理部１１４内のＡＤＳＬ終端部１１２ではＡＤＳＬ回線１３０のＡＤＳＬデータの同期を確立させる。
宅内では、局内側と同じく宅内ＡＤＳＬ処理部１１４にてデュアルレイテンシー構成を利用して多重化されたＡＤＳＬデータが分離され、インタリーブバッファ部１１３にＩＰデータ１１８が入力され、遅延の無い高速バッファ２０３にＩＳＤＮデータ２２０が入力される。
【００４３】
同時にＡＤＳＬ終端部１１２よりＳＴＭ網にて使用される４００Ｈｚの同期クロックが検出され、クロック同期回路２０４にて位相同期が実施される。
インタリーブバッファ部１１３からＬＡＮインタフェース部１１５にＩＰデータ１１８が入力され、ＬＡＮインタフェース部１１５からパーソナルコンピュータ等を含む端末（図示しない）に対してＩＰデータ１１８が出力される。
【００４４】
高速バッファ２０３から基本インタフェース部２０５にＩＳＤＮデータ２２０が入力され、基本インタフェース部２０５からパーソナルコンピュータ、電話、ファクシミリ等を含む端末（図示しない）に対してターミナルアダプタ（ＴＡ）等を介してＩＳＤＮデータ２２０が出力される。
次に、ＡＤＳＬ通信装置のＩＳＤＮデータ多重システムの上り信号処理動作を説明する。
【００４５】
上り信号処理動作は前述の下り信号処理動作の逆に処理される。まず、宅内ＣＰＥ１１６のＬＡＮインタフェース部１１５でパーソナルコンピュータ等の端末からＩＰデータ１１８が入力され、終端される。
宅内ＣＰＥ１１６の基本インタフェース部２０５でパーソナルコンピュータ、電話、ファクシミリ等の端末からＩＳＤＮデータ２２０が入力され、終端される。
ＬＡＮインタフェース部１１５からインタリーブバッファ部１１３にＩＰデータ１１８が入力され、ＩＰデータ１１８に対してインタリーブデータ処理が行われる。
【００４６】
基本インタフェース部２０５から高速バッファ２０３にＩＳＤＮデータ２２０が入力される。
インタリーブバッファ部１０３ＡＤＳＬ終端部１１２にＩＰデータ１１８が入力され、高速バッファ２０３からＡＤＳＬ終端部１１２にＩＳＤＮデータ２２０が入力され、ＡＤＳＬ終端部１１２にてデュアルレイテンシー構成を利用してＡＤＳＬデータとしてＩＰデータ１１８、ＩＳＤＮデータ２２０が多重化される。
【００４７】
宅内ＣＰＥ１１６から局内ＤＳＬＡＭ１０７にＡＤＳＬ回線１３０を介して上りのＡＤＳＬデータが出力され、局内ＤＳＬＡＭ１０７内のＡＤＳＬ終端部１０４にてＡＤＳＬ回線同期が確立し、デュアルレイテンシー構成を利用して多重化されたＡＤＳＬデータが分離され、インタリーブバッファ部１０３にＩＰデータ１１８が入力され、遅延の無い高速バッファ２０２にＩＳＤＮデータ２２０が入力される。
多重分離処理部１０２にてチャンネル毎にインタリーブバッファ部１０３、高速バッファ２０２の出力が多重化される。
【００４８】
ＩＰデータインタフェース部１０１にＩＰデータ１１８が入力され、局内に設置されているプロバイダのサーバ（図示しない）にＩＰデータ１１８が出力される。
ＩＳＤＮデータインタフェース部２０１にＩＳＤＮデータ２２０が入力され、局内交換機（図示しない）にＩＳＤＮデータ２２０が出力される。
このようにして、ＡＤＳＬ通信のデュアルレイテンシー構成を採用しインタリーブバッファ部１０３、インタリーブバッファ部１１３、高速バッファ２０２、高速バッファ２０３によりＡＤＳＬ回線１３０上でＩＰデータ１１８、ＩＳＤＮデータ２２０を多重化するようにしたので、既存ＩＳＤＮデータ通信がＡＤＳＬ回線上にて通信可能になり、さらに、宅内既存ＩＳＤＮ通信で使用されている基本インタフェース部２０５がＡＤＳＬ通信でも利用可能になり、さらに、既存ＩＳＤＮデータを利用していたユーザでは局内・宅内においても、従来技術における本発明の前提となるＡＤＳＬ通信装置のように、音声信号を分離でき、ＡＤＳＬ回線１３０上必要なスプリッタが不要となる。
【００４９】
次に、ＩＳＤＮデータ２２０を使用する交換機がすべての局内に存在していることは無く、存在していない場合にまで本発明を適用してＩＳＤＮデータ２２０を多重化すると、空きデータを多重化することになり、転送に無駄が生じる。そこで、以下のように対策を講じる。
図４は図１の変形例であり、ＡＤＳＬ通信装置のＩＳＤＮデータ多重システムの概略構成を示すブロック図である。
【００５０】
本図に示すように、図１と比較して、局内ＤＳＬＡＭ１０７のＩＳＤＮデータインタフェース部２０１にＩＤ検出部３０１が追加され、ＩＤ検出部３０１はＩＳＤＮデータを通信するためのＩＳＤＮデータインタフェース部２０１にコネクタ実装あり／なしを検出する。
ＩＤ検出部３０１では、ＩＳＤＮデータインタフェース部２０１に接続される物理的なコネクタとＢＷＢ（バックボード）にＩＤ検出用のパターンが追加され、交換機と接続されるコネクタが接続されていない場合、ＩＳＤＮの未使用状態を検出する。
【００５１】
ＩＤ検出部３０１によりＩＳＤＮの未使用状態が検出されると、多重分離処理部１０２、ＡＤＳＬ終端部１０４に対して、ＩＳＤＮデータを多重化する高速バッファ２０２をマスクし、ＩＳＤＮデータ２２０に振り向けているビット割付をＩＰデータ１１８に振り替える。これにより、ＡＤＳＬデータの転送無駄を回避する。
以上の説明では、ＩＰデータ１１８をインタリーブバッファ部１０３、インタリーブバッファ部１１３にＩＳＤＮデータ２２０を高速バッファ２０２、高速バッファ２０３にビット割付を行ったが、逆に、ＩＳＤＮデータ２２０をインタリーブバッファ部１０３、インタリーブバッファ部１１３にＩＰデータ１１８を高速バッファ２０２、高速バッファ２０３にビット割付を行うようにしても、本発明の適用が可能である。
【産業上の利用可能性】
【００５２】
ＳＳＤＳＬ（Ｓｙｎｃｈｒｏｎｉｚｅｄ  Ｓｙｍｍｔｒｉｃ  ＤＳＬ）、ＨＤＳＬ（Ｈｉｇｈ−Ｂｉｔ−Ｒａｔｅ  ＤＳＬ）、ＶＤＳＬ（Ｖｅｒｙ−Ｈｉｇｈ−Ｂｉｔ−Ｒａｔｅ  ＤＳＬ）を含むｘＤＳＬにも適用可能である。
【図面の簡単な説明】
【００５３】
【図１】本発明に係るＡＤＳＬ通信装置のＩＳＤＮデータ多重システムの概略構成を示すブロック図である。
【図２】図１における局内ＡＤＳＬ処理部１０５、宅内ＡＤＳＬ処理部１１４におけるＩＰデータ１１８、ＩＳＤＮデータ２２０の多重化を説明する図である。
【図３】本発明の前提となるＡＤＳＬ通信装置の概略構成を示すブロック図である。
【図４】図１の変形例であり、ＡＤＳＬ通信装置のＩＳＤＮデータ多重システムの概略構成を示すブロック図である。
【符号の説明】
【００５４】
１０１…ＩＰデータインタフェース部
１０２…多重分離処理部
１０３、１１３…インタリーブバッファ部
１０４、１１２…ＡＤＳＬ終端部
１０５…局内ＡＤＳＬ処理部
１０６…クロック同期／分配装置
１０７…局内ＤＳＬＡＭ
１０８…局内クロック分配装置
１１４…宅内ＡＤＳＬ処理部
１１５…ＬＡＮインタフェース部
１１６…宅内ＣＰＥ
２０１…ＩＳＤＮデータインタフェース部
２０２、２０３…高速バッファ
２０４…クロック同期回路
２０５…基本インタフェース部
３０１…ＩＤ検出部
【図１】
2005039658.tif 000003
【図２】
2005039658.tif 000004
【図３】
2005039658.tif 000005
【図４】
2005039658.tif 000006